(57)【要約】【課題】本発明は加湿装置に関するもので、加湿能力の更成る向上をすることができるものである。【解決手段】目的を達成するために本発明は、吸気口２と排気口３を有する本体ケース内に設けられた送風手段１４と加湿手段６とを備え、この加湿手段６は水を溜める水槽７と、円板状で吸い上げ式の加湿フィルター部８とフィルター枠部９で構成し、フィルター枠部９は、加湿フィルター部８の外周に設けた筒形状の外周枠部１２と、加湿フィルター部８の一方面側中央に備えた円柱形状の第１の軸部１６と、加湿フィルター部８の他方面側中央に備えた円柱形状の第２の軸部１７と、第１の軸部１６から外周枠部へ放射状に伸びた第１の桟部１９と、第２の軸部１７から外周枠部へ放射状に伸びた第２の桟部２０とから形成し、第１の中央側桟部２１と加湿フィルター部８との距離は、第１の外周側桟部２２と加湿フィルター部８との距離より長いことを特徴としたものである。【選択図】図２
2013076506.tif 000002
【特許請求の範囲】
【請求項１】
吸気口と排気口を有する本体ケースと、この本体ケース内に設けられた送風手段と加湿手段とを備え、この加湿手段は水を溜める水槽と、この水槽内の水に下端が浸漬される円板状で吸い上げ式の加湿フィルター部と、この加湿フィルター部を固定すると共に前記水槽に回転自在に装着可能なフィルター枠部と、このフィルター枠部を回転させる回転手段とから形成し、前記送風手段によって前記本体ケース外の空気を前記吸気口から前記加湿フィルター部を介して前記排気口へ送風する構成とし、前記フィルター枠部は、前記加湿フィルター部の外周に設けた筒形状の外周枠部と、前記加湿フィルター部の一方面側中央に備えた円柱形状の第１の軸部と、前記加湿フィルター部の他方面側中央に備えた円柱形状の第２の軸部と、前記第１の軸部から前記外周枠部へ放射状に伸びた第１の桟部と、前記第２の軸部から前記外周枠部へ放射状に伸びた第２の桟部とから形成し、前記第１の桟部は、前記第１の軸部側に位置する第１の中央側桟部と、前記外周枠部側に位置する第１の外周側桟部とからなり、前記加湿フィルター部は、前記外周枠部と前記第１の外周側桟部と前記第２の桟部とにより固定されると共に、前記第１の中央側桟部と前記加湿フィルター部との距離は、前記第１の外周側桟部と前記加湿フィルター部との距離より長いことを特徴とした加湿装置。
【請求項２】
前記第１の桟部の前記第１の中央側桟部の長さは、前記第１の桟部の前記第１の外周側桟部の長さより長いことを特徴とした請求項１に記載の加湿装置。
【請求項３】
前記フィルター枠部の前記第１の桟部は、前記フィルター枠部の前記第２の桟部より風下側に位置する構成とした請求項１または２に記載の加湿装置。
【請求項４】
前記回転手段は、前記フィルター枠部に設けたギア部と、このギア部を介して前記フィルター枠部を回転させる電動機とから形成し、前記ギア部は、前記第１の桟部の前記第１の中央側桟部と前記第１の外周側桟部との間に位置する構成とした請求項１から３のいずれかに記載の加湿装置。
【請求項５】
前記フィルター枠部の軸方向から見て、前記第１の桟部と前記第２の桟部とは重なることを特徴とした請求項１から４のいずれかに記載の加湿装置。
【請求項６】
前記送風手段は、スクロール形状のケーシング部と、このケーシング部に固定されたモータ部と、このモータ部によって回転する羽根部とから形成し、前記ケーシング部は、天面側に吐出口を設け、側面側に吸込口を備え、この吸込口の中心は、前記フィルター枠部の軸方向から見て、前記フィルター枠部の前記ギア部の内方に位置する構成とした請求項１から５のいずれかに記載の加湿装置。
【発明の詳細な説明】
【技術分野】
【０００１】
本発明は、空気を加湿することのできる加湿装置に関する。
【背景技術】
【０００２】
従来のこの種の加湿装置の構成は、以下のようになっていた。
【０００３】
すなわち、従来の物においては、吸気口と排気口を有する本体ケースと、この本体ケース内に設けられた加湿手段を備え、この加湿手段は水を溜める水槽と、この水槽内の水に下端が浸漬される円板状の加湿フィルター部と、この加湿フィルター部に前記水槽の水を汲み上げ、給水する給水部と、前記加湿フィルター部を覆うとともに、その外周部に前記給水部を固定したフィルター枠部と、このフィルター枠部の中央部の軸部を中心に回転させる回転手段とから形成され、前記吸気口から前記排気口へ空気を送風する送風手段を前記加湿手段の風路風下側に設け、前記給水部は、前記フィルター枠部の風路風上側の周縁部に位置し、水を含んだ加湿フィルターに送風手段によって送風することによって、空気を加湿する構成となっていた。
【０００４】
（例えば、これに類似する先行文献は下記特許文献１に記載されている。）
【先行技術文献】
【特許文献】
【０００５】
【特許文献１】特開２０１１−３３３０３号公報
【発明の概要】
【発明が解決しようとする課題】
【０００６】
上記従来例における課題は、加湿能力の更なる向上ということであった。
【０００７】
すなわち、従来の物においては、円板状の加湿フィルターの外周部端面より、給水部から水槽の水を汲み上げ給水していた。この加湿フィルターの外周部端面に給水された水は、加湿フィルター内を通りながら加湿フィルターの下部に流れ落ち、加湿フィルター全体に水を含ませ、この水を含んだ加湿フィルターに送風手段によって送風することによって、空気を加湿するものであった。
【０００８】
そこで、加湿能力を向上させる為、送風手段による風量を増加させるのだが、フィルターに保持している水量は変化していないため、風量を増加させても加湿量の増加が少ない。
【０００９】
結果として、加湿フィルター内全体の水の保持量を変化させることができず、これにより、風量を上げて加湿能力を向上させることが困難であった。
【課題を解決するための手段】
【００１０】
そしてこの目的を達成するために本発明は、吸気口と排気口を有する本体ケースと、この本体ケース内に設けられた送風手段と加湿手段とを備え、この加湿手段は水を溜める水槽と、この水槽内の水に下端が浸漬される円板状で吸い上げ式の加湿フィルター部と、この加湿フィルター部を固定すると共に前記水槽に回転自在に装着可能なフィルター枠部と、このフィルター枠部を回転させる回転手段とから形成し、前記送風手段によって前記本体ケース外の空気を前記吸気口から前記加湿フィルター部を介して前記排気口へ送風する構成とし、前記フィルター枠部は、前記加湿フィルター部の外周に設けた筒形状の外周枠部と、前記加湿フィルター部の一方面側中央に備えた円柱形状の第１の軸部と、前記加湿フィルター部の他方面側中央に備えた円柱形状の第２の軸部と、前記第１の軸部から前記外周枠部へ放射状に伸びた第１の桟部と、前記第２の軸部から前記外周枠部へ放射状に伸びた第２の桟部とから形成し、前記第１の桟部は、前記第１の軸部側に位置する第１の中央側桟部と、前記外周枠部側に位置する第１の外周側桟部とからなり、前記加湿フィルター部は、前記外周枠部と前記第１の外周側桟部と前記第２の桟部とにより固定されると共に、前記第１の中央側桟部と前記加湿フィルター部との距離は、前記第１の外周側桟部と前記加湿フィルター部との距離より長いことを特徴としたものであり、これにより、初期の目的を達成するものである。
【発明の効果】
【００１１】
以上のように本発明は、吸気口と排気口を有する本体ケースと、この本体ケース内に設けられた送風手段と加湿手段とを備え、この加湿手段は水を溜める水槽と、この水槽内の水に下端が浸漬される円板状で吸い上げ式の加湿フィルター部と、この加湿フィルター部を固定すると共に前記水槽に回転自在に装着可能なフィルター枠部と、このフィルター枠部を回転させる回転手段とから形成し、前記送風手段によって前記本体ケース外の空気を前記吸気口から前記加湿フィルター部を介して前記排気口へ送風する構成とし、前記フィルター枠部は、前記加湿フィルター部の外周に設けた筒形状の外周枠部と、前記加湿フィルター部の一方面側中央に備えた円柱形状の第１の軸部と、前記加湿フィルター部の他方面側中央に備えた円柱形状の第２の軸部と、前記第１の軸部から前記外周枠部へ放射状に伸びた第１の桟部と、前記第２の軸部から前記外周枠部へ放射状に伸びた第２の桟部とから形成し、前記第１の桟部は、前記第１の軸部側に位置する第１の中央側桟部と、前記外周枠部側に位置する第１の外周側桟部とからなり、前記加湿フィルター部は、前記外周枠部と前記第１の外周側桟部と前記第２の桟部とにより固定されると共に、前記第１の中央側桟部と前記加湿フィルター部との距離は、前記第１の外周側桟部と前記加湿フィルター部との距離より長いことを特徴としたものであり、加湿能力を高めることができるものである。
【００１２】
すなわち、円板状の加湿フィルター部の下端が、水槽内の水に水没するので、加湿フィルター部の周縁部は、回転手段によって回転することにより、水槽内で水が周縁部全体に供給される。この加湿フィルター部の周縁部に付着した水は、吸い上げ式の加湿フィルターにより中心部まで満遍なく水が行渡るようになり、加湿フィルター部全体に水を含ませることができる。ここで、この水を含んだ加湿フィルター部に風が通過することで加湿を行うものである。この際に、加湿フィルターが保持する水の量が加湿能力を決定する一因となる。
【００１３】
そこで、本発明では第１の中央側桟部と加湿フィルター部との距離は、第１の外周側桟部と加湿フィルター部との距離より長いことを特徴としたものである。これにより、加湿フィルターが水を含み膨張した際に、加湿フィルター枠が加湿フィルターを圧迫することなく膨張する空間を有するので、加湿フィルターが水を保持する量が増加することができる。
【００１４】
これらの結果により、加湿能力の更なる向上をさせることができるものである。
【図面の簡単な説明】
【００１５】
【図１】本発明の実施の形態１の加湿装置の斜視図
【図２】同実施の形態１の概略断面を示す図
【図３】同実施の形態１のフィルター枠部と水槽の斜視図
【図４】同実施の形態１のフィルター枠部の展開図
【図５】同実施の形態１の加湿フィルター枠ケース部の概略断面を示す図
【図６】同実施の形態１のケーシング部の斜視図
【発明を実施するための形態】
【００１６】
以下、本実施形態を添付図面を用いて説明する。
【００１７】
（実施の形態１）
図１から図５に示すように、本実施形態の加湿装置１は、吸気口２と排気口３を有する本体ケース４と、この本体ケース４内に設けた空気清浄手段と、この空気清浄手段の下流側に加湿手段６と、送風手段１４とを備えている。
【００１８】
吸気口２は、本体ケース４の両側面、および本体ケース４の前面下部とに位置し、排気口３は、本体ケース４の上面に位置している。
【００１９】
空気清浄手段は、縦長箱形状の空気清浄フィルター５で、濾材が蛇腹形状に折られたものであり、吸気口２の風路風下側に設けている。
【００２０】
加湿手段６は、空気清浄手段である空気清浄フィルター５の風路風下側に設けている。加湿手段６は、水タンク部１５と、一定量の水が溜まった水槽７と、この水槽７の水に下端が常に浸漬した円板状で吸い上げ式の加湿フィルター部８と、この加湿フィルター部８を固定すると共に水槽７に回転自在に装着可能なフィルター枠部９と、このフィルター枠部９を回転させる回転手段１３とから構成している。
【００２１】
水槽７は、上面が開口した略横長箱形状で、本体ケース４の下部に着脱自在に設けられている。
【００２２】
水タンク部１５は、水槽７の端部には装着され、その水タンク部１５から水が供給され、これにより水槽７内の水位は略一定状態が保たれる様になっている。
【００２３】
加湿フィルター部８は、円盤状の形状をしており、毛細管現象を利用して水を吸上げている。毛細管現象で吸い上げられた水は連結糸につたわり水を保持し、保持することで加湿フィルターが水で膨張し、ここを風が通過することで加湿を行う。
【００２４】
回転手段１３は、加湿フィルター枠ケース部１０にあるギア部１８と連結しており、回転手段１３が動くことで加湿フィルター枠ケース部１０が回転する。
【００２５】
送風手段１４は、加湿手段６の風路風下側に設けており、この送風手段１４によって本体ケース４外の空気を吸気口２から加湿フィルター部８を介して排気口３へ送風するものである。
【００２６】
このような構成における空気清浄および、加湿動作について説明する。水タンク部１５より水槽７に常時一定の水位となるように水が供給され、加湿フィルター部８の一部が常時浸かった状態となる。加湿フィルター部８は水を吸い上げるが、ここで回転手段１３によってフィルター枠部９を回転させることで、加湿フィルター部８の中央部まで水がいきわたる。つまり回転手段１３によりフィルター枠部９を回転させ続けることで加湿フィルター部８は常時水を保持した状態に保たれる。
【００２７】
ここで、送風手段１４を動かすことにより、吸気口２から本体ケース４内に空気が吸い込まれ、この空気は本体ケース４内に備えられた空気清浄フィルター５と水を保持した状態の加湿フィルター部８とを通過し加湿清浄空気となり、排気口３から室内に排出される。
【００２８】
図３に示すように、フィルター枠部９は、加湿フィルター枠ケース部１０と加湿フィルター枠カバー部１１とで構成されている。
【００２９】
加湿フィルター枠ケース部１０は、一方面側中央に備えた円柱形状の第１の軸部１６と、
この第１の軸部１６から筒形状の外周枠部１２へ放射状に伸びた第１の桟部１９とで構成される。第１の桟部１９は、円柱形状の第１の軸部１６側に位置する第１の中央側桟部２１と、筒形状の外周枠部１２側に位置する第１の外周側桟部２２とからなる。つまり、第１の外周側桟部２２は、第１の中央側桟部２１より外方に位置するものである。
【００３０】
加湿フィルター枠カバー部１１は、他方面側中央に備えた円柱形状の第２の軸部１７と、この第２の軸部１７から筒形状の外周枠部１２へ放射状に伸びた第２の桟部２０とで構成されている。
【００３１】
加湿フィルター部８は、加湿フィルター枠ケース部１０と加湿フィルター枠カバー部１１との間に位置するものである。
【００３２】
本実施形態における特徴は、フィルター枠部９の構造にあり、第１の中央側桟部２１と加湿フィルター部８との距離は、第１の外周側桟部２２と加湿フィルター部８との距離より長い点である。これにより、加湿フィルター部８は、筒形状の外周枠部１２と第１の外周側桟部２２と第２の桟部２０とにより固定される。
【００３３】
すなわち、円板状の加湿フィルター部８の下端が、水槽７内の水に水没するので、加湿フィルター部８の周縁部は、回転手段１３によって回転することにより、水槽７内で水が周縁部全体に供給される。この加湿フィルター部８の周縁部に付着した水は吸い上げ式の加湿フィルターにより中心部まで満遍なく水が行渡るようになり、加湿フィルター部８全体に水を含ませることができる。この水を含んだ加湿フィルター部８に風が通過することで加湿を行うものである。この際に、加湿フィルターが保持する水の量が加湿能力を決定する一因となる。
【００３４】
そこで、本発明では第１の中央側桟部２１と加湿フィルター部８との距離は、第１の外周側桟部２２と加湿フィルター部８との距離より長いことを特徴としたものである。これにより、加湿フィルターが水を含み膨張した際に、加湿フィルター枠が加湿フィルターを圧迫することなく膨張する空間を有するので、加湿フィルターが水を保持する量が増加する。
【００３５】
これらの結果により、加湿能力を向上させることができるものである。
【００３６】
また、第１の桟部１９の前記第１の中央側桟部２１の長さは、第１の桟部１９の第１の外周側桟部２２の長さより長いものである。
【００３７】
このように、第１の中央側桟部２１の長さが第１の外周側桟部２２の長さより長いことで、加湿フィルター枠が加湿フィルターを圧迫することなく膨張する空間が大きく取れることにより、加湿フィルターが水を保持する量が増加する。これらの結果により、加湿能力を向上させることができるものである。
【００３８】
また、フィルター枠部９の第１の桟部１９は、フィルター枠部９の第２の桟部２０より風下側に位置する構成としたものである。
【００３９】
このように、風下側に加湿フィルターを圧迫することなく膨張する空間が大きく取れることで風上側に空間をとった場合と比較して、風の抵抗を受けることなく膨張する空間が大きく取れることにより、加湿フィルターが水を保持する量が増加する。
【００４０】
また、回転手段１３は、フィルター枠部９に設けたギア部１８と、このギア部１８を介してフィルター枠部９を回転させる電動機とから形成し、ギア部１８は、第１の桟部１９の第１の中央側桟部２１と第１の外周側桟部２２との間に位置する。
【００４１】
このように、ギア部１８は、第１の桟部１９の第１の中央側桟部２１と第１の外周側桟部２２との間に位置するものである。
【００４２】
これにより、フィルター枠部９中心付近にギア部１８が位置する場合と比較してギア部１８に連結する電動機に連結しているギア部１８が外側に位置することで圧損体が減少し、加湿フィルターを通過する風量の減少が最小限ですむことで加湿能力を向上させることができるものである。
【００４３】
また、フィルター枠部９の軸方向から見て、第１の桟部１９と第２の桟部２０とは重なるものである。
【００４４】
このように、第１の桟部１９と第２の桟部２０が重なることで重ならない場合と比較して風路の障害となる桟部の面積が小さくなり、加湿フィルターを通過する風量の減少が最小限ですむことで加湿能力を向上させることができるものである。
【００４５】
スクロール形状のケーシング部２３と、このケーシング部２３に固定されたモータ部２５と、このモータ部２５によって回転する羽根部２４とから形成し、ケーシング部２３は、天面側に吐出口２６を設け、側面側に吸込口２７を備え、この吸込口２７の中心は、フィルター枠部９の軸方向から見て、フィルター枠部９ギア部１８の内方に位置するものである。
【００４６】
このように、ケーシング部２３の吸込口２７中心は、フィルター枠部９の軸方向から見て、フィルター枠部９のギア部１８の内方に位置する構成としたことでフィルター枠部９と間の空間における障害物が最小限になり、加湿フィルター部８を通過する風量の減少が最小限ですむことで加湿能力を向上させることができるものである。
【産業上の利用可能性】
【００４７】
以上のように本発明は、吸気口２と排気口３を有する本体ケース４と、この本体ケース４内に設けられた送風手段１４と加湿手段６とを備え、この加湿手段６は水を溜める水槽７と、この水槽７内の水に下端が浸漬される円板状で吸い上げ式の加湿フィルター部８と、この加湿フィルター部８を固定すると共に前記水槽７に回転自在に装着可能なフィルター枠部９と、このフィルター枠部９を回転させる回転手段１３とから形成し、前記送風手段１４によって前記本体ケース４外の空気を前記吸気口２から前記加湿フィルター部８を介して前記排気口３へ送風する構成とし、前記フィルター枠部９は、前記加湿フィルター部８の外周に設けた筒形状の外周枠部１２と、前記加湿フィルター部８の一方面側中央に備えた円柱形状の第１の軸部１６と、前記加湿フィルター部８の他方面側中央に備えた円柱形状の第２の軸部１７と、前記第１の軸部１６から前記外周枠部へ放射状に伸びた第１の桟部１９と、前記第２の軸部１７から前記外周枠部へ放射状に伸びた第２の桟部２０とから形成し、前記第１の桟部１９は、前記第１の軸部１６側に位置する第１の中央側桟部２１と、前記外周枠部側に位置する第１の外周側桟部２２とからなり、前記加湿フィルター部８は、前記外周枠部１２と前記第１の外周側桟部２２と前記第２の桟部２０とにより固定されると共に、前記第１の中央側桟部２１と前記加湿フィルター部８との距離は、前記第１の外周側桟部２２と前記加湿フィルター部８との距離より長いことを特徴としたものであり、加湿能力を高めることができるものである。
【００４８】
すなわち、円板状の加湿フィルター部８の下端が、水槽７内の水に水没するので、加湿フィルター部８の周縁部は、回転手段１３によって回転することにより、水槽７内で水が周縁部全体に供給される。この加湿フィルター部８の周縁部に付着した水は、吸い上げ式の加湿フィルター部８により中心部まで満遍なく水が行渡るようになり、加湿フィルター部８全体に水を含ませることができる。ここで、この水を含んだ加湿フィルター部８に風が通過することで加湿を行うものである。この際に、加湿フィルターが保持する水の量が加湿能力を決定する一因となる。
【００４９】
そこで、本発明では第１の中央側桟部２１と加湿フィルター部８との距離は、第１の外周側桟部２２と加湿フィルター部８との距離より長いことを特徴としたものである。これにより、加湿フィルター部８が水を含み膨張した際に、フィルター枠部９が加湿フィルター部８を圧迫することなく膨張する空間を有するので、加湿フィルター部８が水を保持する量が増加することができる。
【００５０】
これらの結果により、加湿能力の更なる向上をさせることができるものである。
【００５１】
従って、家庭用や事務所用などの、加湿装置として活用が期待されるものである。
【符号の説明】
【００５２】
１    加湿装置
２    吸気口
３    排気口
４    本体ケース
５    空気清浄フィルター
６    加湿手段
７    水槽
８    加湿フィルター部
９    フィルター枠部
１０  加湿フィルター枠ケース部
１１  加湿フィルター枠カバー部
１２  外周枠部
１３  回転手段
１４  送風手段
１５  水タンク部
１６  第１の軸部
１７  第２の軸部
１８  ギア部
１９  第１の桟部
２０  第２の桟部
２１  第１の中央側桟部
２２  第１の外周側桟部
２３  ケーシング部
２４  羽根部
２５  モータ部
２６  吐出口
２７  吸込口
【図１】
2013076506.tif 000003
【図２】
2013076506.tif 000004
【図３】
2013076506.tif 000005
【図４】
2013076506.tif 000006
【図５】
2013076506.tif 000007
【図６】
2013076506.tif 000008